(57)【要約】【課題】コキあるいはコキ状の環体から先端が非常に抜けにくいベルト状体を提供することを目的とする。【解決手段】ベルト２０の先端にループ部２１を形成する。ループ部２１は、ベルト２０の先端を所定長さだけ基端側へ折返し、さらにこの折り返した元の先端部分をベルト２０の基端側との間に挟むように折り返し、折り返し前の元の先端部が折り返し部分であるループ部２１の内側へ入り込むようにした状態で縫合して固着する。使用中に、ベルト１の先端側がコキ２のほうへ引っ張られると、ループ部２１がコキ２の外周面に当接し、それ以上はかなり強い力を加えないと引っ張られなくなる。ベルトの材質は、バッグや救命具等で一般的に用いられているポリエステル合成繊維等の合成樹脂製のものを主とするが、折り返し、縫合等による固着が可能なものであれば、どのような材質のものであっても適用できる。【選択図】        図５
2004337276.tif 000002
【特許請求の範囲】
【請求項１】
コキあるいはコキ状の環体に通して使用するためのベルト状体であって、先端を二度折返し、該折り返した状態での先端を元に戻らないように互いに固着して環状の舌片部を形成してなることを特徴とするベルト状体。
【請求項２】
請求項１のベルト状体において、上記先端の二度目の折返し時に、折り返し前の状態における先端部を折り返し部分の内側に入るように折り返してなることを特徴とするベルト状体。
【請求項３】
請求項１のベルト状体において、上記先端の二度目の折返し時に、折り返し前の状態における先端部を折り返し部分の外側へ出るように折り返してなることを特徴とするベルト状体。
【請求項４】
請求項１ないし３のいずれかのベルト状体において、上記固着を縫合により行ってなることを特徴とするベルト状体。
【請求項５】
請求項１ないし３のいずれかのベルト状体において、上記固着を高周波溶着等による接合により行ってなることを特徴とするベルト状体。
【発明の詳細な説明】
【０００１】
【発明の属する技術分野】
本発明は、コキあるいはコキ状の環体に通して使用するためのベルト状体に関する。
【０００２】
【従来の技術】
図１は、従来コキ等の環体に通して使用されているベルト状体の一例を示す断面図である。図中１がベルト、２がコキで、コキ２は枠体３と中軸４とからなる。この例では、ベルト１の基端に形成した環状部５を予め中軸４に取り付けておき、例えば鞄などの金具等を介してきた先端を枠体３と中軸４との間にある一方隙間６から入れ、中軸４をまたいで他方の隙間７から基端側の上に重なるように通し、先端側を引っ張るなどして締めるようになっている。この例は、例えば図２に示すように、救命具、物入れ等の被ベルト装着体８の金具９、９に取り付けて長さ調節用可能なベルトとして用いる。
【０００３】
図３は、従来コキ等の環体に通して使用されているベルト状体の他例を示す断面図である。図中１０が雄バックル、１１が雌バックルで、雌バックル１１にコキ１２が一体に設けてあり、雄バックル１０のツメ部１３を雌バックル１１の係合凹部１４へ嵌着してするようになっているものである。ベルト１は基端を雄バックル１０に固定し、先端を雌バックル１１のコキ１２に取り付けてある。コキ１２は枠体１３内に２本の中軸１５、１６を有し、ベルト１の先端を図示のように中軸１５、１６に対して隙間１７、１８、１９を介して掛け回し、先端を再びコキ１２外へ出すようになっている。この例では、雄バックル１０に取り付けるベルトと雌バックル１１に取り付けるベルトとを別体にすると、２本のベルトをバックルで連結するタイプとなる。
【０００４】
【発明が解決しようとする課題】
しかしながら上記従来の構成では、ベルト１の先端がコキ２、１２から抜けやすいという問題があることが周知である。すなわち、コキ２、１２に掛け回してコキ２、１２外へ出たベルト１の先端側の長さが十分で、かつベルト１に十分なテンションが掛かっていればよいが、コキ２、１２外へ出るベルト１の１の先端側の長さが短かったり、ベルト１にあまりテンションが掛からない状態が続いたりすると、コキ２、１２外へ出ているベルト１の先端側部分が基端側へ引かれ、コキ２、１２から抜けてしまうことが生じやすくなる。
【０００５】
そして、コキ２からベルト１の先端が抜けることによってベルト１で保持していた物が落下して破損したりすることもあるし、ライフジャケット等の救命用の器具では、ベルト１の先端が抜けることによって着用者が非常に危険な状態に陥ることもあり得る。
【０００６】
本発明はこのような問題点にかんがみ、コキあるいはコキ状の環体から先端が非常に抜けにくいベルト状体を提供することを目的とする。
【０００７】
【課題を解決するための手段】
本発明のベルト状体のうち請求項１に係るものは、上記目的を達成するために、コキあるいはコキ状の環体に通して使用するためのベルト状体であって、先端を二度折返し、該折り返した状態での先端を元に戻らないように互いに固着して環状の舌片部を形成してなることを特徴とする。コキあるいはコキカンと称されるものには種々の形態のものがあるが、本発明のベルト状体は多くのタイプのものを対象とし得る。ベルト状体の折り返し線は、もちろんベルト状体の長手方向に沿うのではなく、短手方向に沿うものであり、折り返し方向は長手方向に沿う。
【０００８】
同請求項２に係るものは、上記目的を達成するために、請求項１のベルト状体において、上記先端の二度目の折返し時に、折り返し前の状態における先端部を折り返し部分の内側に入るように折り返してなることを特徴とする。折り返した状態でのベルトの先端は、谷状になっている部分に折り返す前の状態での先端が入り込むようになり、その状態で固着する。
【０００９】
同請求項３に係るものは、上記目的を達成するために、請求項１のベルト状体において、上記先端の二度目の折返し時に、折り返し前の状態における先端部を折り返し部分の外側へ出るように折り返してなることを特徴とする。折り返した状態でのベルトの先端は、山状になっている部分に折り返す前の状態での先端が外側から沿う形態になり、その状態で固着する。
【００１０】
同請求項４に係るものは、上記目的を達成するために、請求項１ないし３のいずれかのベルト状体において、上記固着を縫合により行ってなることを特徴とする。
【００１１】
同請求項５に係るものは、上記目的を達成するために、請求項１ないし３のいずれかのベルト状体において、上記固着を高周波溶着等による接合により行ってなることを特徴とする。
【００１２】
【発明の実施の形態】
以下本発明の実施の形態を図面を参照して説明する。なお以下では従来と共通する部分には共通する符号を付して説明する。
【００１３】
図４は、本発明に係るベルト状体の一実施形態に係るベルト２０を、図１、２と同様のコキ２に装着した状態を示す断面図である。図示のように本実施形態のベルト２０は、先端にループ部２１を形成してある。このループ部２１は、ベルト２０の先端を所定長さ、例えば３ｃｍくらいだけ基端側へ折返し、さらにこの折り返した元の先端部分をベルト２０の基端側との間に挟むように折り返し、折り返し前の元の先端部が折り返し部分であるループ部２１の内側、すなわち谷状になっている部分へ入り込むようにし、その状態で縫合して固着している。図中２２は縫合に用いた糸を示す。この状態で、先端は元に戻らないように互いに固着され、環状の舌片部、すなわちループ部２１が形成される。なお、ベルト２０の折り返し線は、もちろんベルト状体の長手方向に沿うのではなく、短手方向（図の紙面垂直方向）に沿うものであり、折り返し方向はベルト１の長手方向に沿う。またループ部２１は外側へ向いて位置するように装着する。もちろん、ループ部２１はコキ２の隙間６、７を通過できるサイズに形成する。
【００１４】
図５は、図４に示す実施形態においてベルト２０の先端側が何らかの理由により基端側へ引かれ、従来のベルトであればコキ２から抜け出てしまうような状態を示す。本実施形態のベルト２０をコキ２に対して図４に示すように装着して使用中に、ベルト２０の先端側がコキ２のほうへ引っ張られると、ループ部２１がコキ２の外周面に当接し、それ以上はかなり強い力を加えないと引っ張られなくなる。本願発明者の行った実験では、通常の使用ではループ部２１がコキ２から抜け出ることとはなかった。
【００１５】
図６は、本発明に係るベルト状体の一実施形態に係るベルト２０を、図３に示す雌バックル１１のコキ１２と同構造のコキ１２（同構造につき、同一の符号で示す。）に装着した状態を示す断面図である。このようなコキ１２は、例えば時計やバック、ザックのバンド通しあるいはベルト通し等にバックルと称して用いられるタイプのものであるが、この場合も図５と同様に、ループ部２１の存在によりベルト２０がコキ（バックル）１２から抜け出ることはない。
【００１６】
図７は、ベルトの先端の折り返しについて他の例を示す断面図である。この例は、折り返した状態でのベルト２０の先端は、山状になっている部分に折り返す前の状態での先端が外側から沿う状態で固着してある。
【００１７】
なお図示の実施形態においてはベルト２０先端の固着を縫合により行っている例のみ示してあるが、もちろん高周波溶着等による接合で固着を行ってもよい。
【００１８】
またなお、本発明で対象とするベルト状体の材質は、バッグや救命具等で一般的に用いられているポリエステル合成繊維等の合成樹脂製のものを主とするが、上述のような折り返し、縫合等による固着が可能なものであれば、どのような材質のものであっても良い。
【００１９】
【発明の効果】
本発明に係るベルト状体は以上説明してきたようなものなので、いったんコキあるいはコキ状の環体に通し後はベルト先端部がコキ等から抜ける方向に移動しても環状の舌片部がコキ等に当たって抜け出しを確実に防止できる。
【図面の簡単な説明】
【図１】従来コキ等の環体に通して使用されているベルト状体の一例を示す断面図である。
【図２】図１の例の具体的な使用例を示す断面図である。
【図３】従来コキ等の環体に通して使用されているベルト状体の他例を示す断面図である。
【図４】本発明に係るベルト状体の一実施形態に係るベルトを示す断面図である。
【図５】図４の実施形態に係るベルトがコキから抜け出ないことを示す断面図（Ａ）と斜視図（Ｂ）である。
【図６】本発明に係るベルト状体の一実施形態に係るベルトを、図３と同様のコキ付きのバックルに装着した状態を示す断面図である。
【図７】本発明に係るベルト状体の一実施形態において、ベルトの先端の折り返しについて他の例を示す断面図である。
【符号の説明】
１  ベルト
２  コキ
３  コキの枠体
４  コキの中軸
５  コキの環状部
６、７  コキの隙間
８  救命具、物入れ等の被ベルト装着体
９  金具
１０  雄バックル
１１  雌バックル
１２  コキ
１３  雄バックルのツメ部
１４  雌バックルの係合凹部
１５、１６  コキの中軸
１７、１８、１９  コキの隙間
２０  ベルト
２１  ループ部
２２  縫合に用いた糸
【図１】
2004337276.tif 000003
【図２】
2004337276.tif 000004
【図３】
2004337276.tif 000005
【図４】
2004337276.tif 000006
【図５】
2004337276.tif 000007
【図６】
2004337276.tif 000008
【図７】
2004337276.tif 000009